(57)【要約】      （修正有）【課題】  モジュール化された修理可能なコンピュータ・マウスを提供する。【解決手段】  コンピュータ・マウスは、第１モジュール・ユニットと、第２モジュール・ユニットとを含む。第１モジュール・ユニットは、ハウジングと、少なくとも一つの入力キーと、第１電気コネクタとを含む。第２モジュール・ユニットは、第２電気コネクタを含む。回路基板と、入力キーに対応するスイッチ・モジュールとは、第１及び第２モジュール・ユニットに選択的に取り付けられる。第２モジュール・ユニットが第１モジュール・ユニットと連結して、第２電気コネクタを第１電気コネクタに電気的に接続することを可能にする。ユーザの操作に応じて、入力キーにより、スイッチ・モジュールが作動して電気信号を送信することが可能である。【選択図】  図２ａ
2005050319.tif 000002
【特許請求の範囲】
【請求項１】
コンピュータ・マウスであって、
ハウジングと、少なくとも一つの入力キーと、第１電気コネクタと、回路基板とを含み、前記第１電気コネクタが前記回路基板に接続された第１モジュール・ユニットと、
前記入力キーに対応するスイッチ・モジュールと、第２電気コネクタとを含む第２モジュール・ユニットとを備え、
前記第２モジュール・ユニットが前記第１モジュールユニットに連結されて、前記第２電気コネクタを前記第１電気コネクタに電気的に接続することを可能にし、前記入力キーにより、ユーザの操作に応じて前記スイッチ・モジュールが作動して電気信号を送信することが可能である、コンピュータ・マウス。
【請求項２】
前記回路基板が信号伝送用のケーブルを備える、請求項１に記載のコンピュータ・マウス。
【請求項３】
前記第１モジュール・ユニットが、前記第２モジュール・ユニットを受承するための空間を有する、請求項１に記載のコンピュータ・マウス。
【請求項４】
前記第１モジュール・ユニットが、前記第２モジュール・ユニットをはめ込むための空間を有する、請求項１に記載のコンピュータ・マウス。
【請求項５】
前記第１電気コネクタが前記空間内の特定部分に配置されており、前記第２モジュール・ユニットが前記第１モジュール・ユニットにはめ込まれたときに前記第２電気コネクタが前記第１電気コネクタに接続される、請求項３に記載のコンピュータ・マウス。
【請求項６】
コンピュータ・マウスであって、
ハウジングと、少なくとも一つの入力キーと、第１電気コネクタと、スイッチ・モジュールとを含み、前記第１電気コネクタが前記ハウジングの特定部分に接続された第１モジュール・ユニットと、
回路基板と、第２電気コネクタとを含む第２モジュール・ユニットとを備え、
前記第２モジュール・ユニットが前記第１モジュールユニットに連結されて、前記第２電気コネクタを前記第１電気コネクタに電気的に接続することを可能にし、前記入力キーにより、ユーザの操作に応じて前記スイッチ・モジュールが作動して電気信号を前記回路基板に送信することができる、コンピュータ・マウス。
【請求項７】
前記第１モジュール・ユニットが、前記第２モジュール・ユニットを受承するための空間を有する、請求項６に記載のコンピュータ・マウス。
【請求項８】
前記第１モジュール・ユニットが、前記第２モジュール・ユンットをはめ込むための空間を有する、請求項６に記載のコンピュータ・マウス。
【請求項９】
前記第１電気コネクタが前記空間内の特定部分に配置されており、前記第２モジュール・ユニットが前記第１モジュール・ユニットにはめ込まれたときに前記第２電気コネクタが前記第１電気コネクタに接続される、請求項７に記載のコンピュータ・マウス。
【請求項１０】
前記回路基板が信号伝送用のケーブルを備える、請求項６に記載のコンピュータ・マウス。
【請求項１１】
コンピュータ・マウスにおいて、スイッチ・モジュール・ユニットと対応して使用される電子モジュール・ユニットであって、
少なくとも一つの入力キーと、
回路基板と、
前記回路基板に接続され、かつ前記スイッチ・モジュール・ユニットに電気的に接続される前記電子モジュール・ユニットの電気コネクタと、
前記入力キーと、前記回路基板と、前記電子モジュール・ユニットの前記電気コネクタとを収容するハウジングとを備え、
前記入力キーにより、ユーザの操作に応じて前記スイッチ・モジュール・ユニットが作動して、前記スイッチ・モジュール・ユニットが電気信号を前記電子モジュール・ユニットの前記電気コネクタを介して前記回路基板に送信することが可能である、電子モジュール・ユニット。
【請求項１２】
前記回路基板が信号伝送用のケーブルを備える、請求項１１に記載の電子モジュール・ユニット。
【請求項１３】
コンピュータ・マウスにおいて、電子モジュール・ユニットと対応して使用されるスイッチ・モジュール・ユニットであって、
スイッチ・モジュールと、
前記スイッチ・モジュール・ユニットに接続され、かつ前記電子モジュール・ユニットに電気的に接続される前記スイッチ・モジュール・ユニットの電気コネクタとを備え、
前記電子モジュール・ユニットにより、ユーザの操作に応じて前記スイッチ・モジュールが作動して、前記スイッチ・モジュールが電気信号を前記スイッチ・モジュール・ユニットの前記電気コネクタを介して前記電子モジュール・ユニットに送信することが可能である、スイッチ・モジュール・ユニット。
【請求項１４】
コンピュータ・マウスにおいて、電子モジュール・ユニットと対応して使用されるスイッチ・モジュール・ユニットであって、
少なくとも一つの入力キーと、
スイッチ・モジュールと、
前記スイッチ・モジュールに接続され、かつ前記電子モジュール・ユニットに電気的に接続される前記スイッチ・モジュール・ユニットの電気コネクタと、
前記入力キーと、前記スイッチ・モジュールと、前記スイッチ・モジュール・ユニットの前記電気コネクタとを収容するハウジングとを備え、
前記入力キーにより、ユーザの操作に応じて前記スイッチ・モジュールが作動して、前記スイッチ・モジュールが電気信号を前記スイッチ・モジュール・ユニットの前記電気コネクタを介して前記電子モジュール・ユニットに送信することが可能である、スイッチ・モジュール・ユニット。
【請求項１５】
コンピュータ・マウスにおいて、スイッチ・モジュール・ユニットと対応して使用される電子モジュール・ユニットであって、
回路基板と、
前記回路基板に接続され、かつ前記スイッチ・モジュール・ユニットに電気的に接続される前記電子モジュール・ユニットの電気コネクタとを備え、
前記回路基板は、前記スイッチ・モジュール・ユニットから前記電子モジュール・ユニットの電気コネクタを介して電気信号を受信し、処理する、電子モジュール・ユニット。
【請求項１６】
前記回路基板が信号伝送用のケーブルを備える、請求項１５に記載の電子モジュール・ユニット。
【発明の詳細な説明】
【技術分野】
【０００１】
本発明は、モジュール化された修理可能なコンピュータ・マウスに関する。
【背景技術】
【０００２】
図１に示すような、市場で手に入る典型的なコンピュータ・マウスは、その一部が故障した場合、簡単には修理することができない。
加えて、インターネット及びオンライン・ゲームがますます普及するにつれて、コンピュータ・マウスは必要不可欠な周辺機器となった。
【発明の開示】
【発明が解決しようとする課題】
【０００３】
使用頻度の増加に伴い、マウスの入力キーに接続されたスイッチ・モジュールは故障しやすくなった。更に、ハウジング及び入力キーは壊れやすく、コンピュータ・マウスにおいて最も重要な部品、即ち回路基板がまだ機能しているのに、頻繁な使用及び不慮の出来事によって使い物にならなくなってしまう。
【課題を解決するための手段】
【０００４】
そこで、本発明によりモジュール化された修理可能なコンピュータ・マウスが提供される。装置の一部が故障した場合、モジュール・ユニットを交換することで簡単に修理することができる。
【０００５】
本発明の主目的は、故障したスイッチ・モジュールの交換により故障を直して、コンピュータ・マウスの寿命を延ばし、経費を低減するモジュール化された修理可能なコンピュータ・マウスを提供することにある。
【０００６】
本発明の別の目的は、スイッチ・モジュール及びハウジングの交換により故障を直して、コンピュータ・マウスの寿命を延ばし、経費を低減するモジュール化された修理可能なコンピュータ・マウスを提供することにある。
【０００７】
本発明のモジュール化された修理可能なコンピュータ・マウスは、第１モジュール・ユニットと、第２モジュール・ユニットとを含む。一実施形態では、第１モジュール・ユニットは、ハウジングと、少なくとも一つの入力キーと、第１電気コネクタと、回路基板とを含む。第１電気コネクタは回路基板に接続される。第２モジュール・ユニットは、入力キーに対応するスイッチ・モジュールと、第２電気コネクタとを含む。第２モジュール・ユニットが第１モジュール・ユニットと連結して、第２電気コネクタを第１電気コネクタに電気的に接続することが可能となる。入力キーにより、ユーザの操作に応じて前記スイッチ・モジュールが作動して電気信号を送信することが可能である。
【０００８】
本発明のモジュール化された修理可能なコンピュータ・マウスの別の実施形態では、第１モジュール・ユニットは、ハウジングと、少なくとも一つの入力キーと、第１電気コネクタと、スイッチ・モジュールとを含む。第１電気コネクタは、ハウジングの特定部分と電気的に接続される。第２モジュール・ユニットは、回路基板と、第２電気コネクタとを含む。第２モジュール・ユニットが第１モジュール・ユニットと連結して、第２電気コネクタを第１電気コネクタに電気的に接続することが可能となる。入力キーにより、ユーザの操作に応じて前記スイッチ・モジュールが作動して電気信号を送信することが可能である。
【０００９】
当業者は、以下の詳細な説明及び図面より、本発明の目的及び利点をより良く理解できるであろう。
【発明を実施するための最良の形態】
【００１０】
本発明は、モジュール化された修理可能なコンピュータ・マウスに関する。好ましくは、コンピュータ・マウスは、コンピュータ入力装置として使用される典型的な有線マウス又は無線マウスである。コンピュータ・マウスは、卓上型の、或いは携帯型の電子装置にも使用可能である。
【００１１】
図２ａは、本発明の好ましい実施形態を示している。図に示すように、コンピュータ・マウス２０１は、第１モジュール・ユニット（すなわち、電子モジュール・ユニット）２１０と、第２モジュール・ユニット（すなわち、スイッチ・モジュール・ユニット）２２０とを含む。第１モジュール・ユニット２１０は、ハウジング２１１と、少なくとも１つの入力キー２１２と、第１電気コネクタ（すなわち、電子モジュール・ユニットの電気コネクタ）２１３と、回路基板２１４とを含む。第１電気コネクタ２１３は、導線２１５を介して回路基板２１４に接続されている。第２モジュール・ユニット２２０は、入力キー２１２に対応するスイッチ・モジュール２２２と、第２電気コネクタ（すなわち、スイッチ・モジュール・ユニットの電気コネクタ）２２３とを含む。第２モジュール・ユニット２２０において、スイッチ・モジュール２２２は、第２電気コネクタ２２３と相互接続される。
【００１２】
回路基板２１４は、信号伝送用のケーブル２１６を含む。別の好ましい実施形態では、信号伝送のために使用されるケーブル２１６を無線送信装置に置き換えて、本発明のモジュール化された修理可能なコンピュータ・マウスとしての無線マウスを提供することができる。
【００１３】
第１モジュール・ユニット２１０は、任意に、１個以上の、好ましくは、２〜４個の入力キー２１２を含む。好ましい入力キーは複合機能を備える入力キーであり、例えば、スクロール・ローラである。しかしながら、入力キー２１２は、同様の機能を有する任意の装置であってもよい。
【００１４】
第２モジュール・ユニット２２０を第１モジュール・ユニット２１０に連結するために、第１モジュール・ユニット２１０の特定部分は、第２モジュール・ユニット２２０を受承するための空間２１７を有する。加えて、第２モジュール・ユニット２２０を第１モジュール・ユニット２１０に、より強固に連結するために、第２モジュール・ユニット２２０が密にはめ込まれるように空間２１７を設けることが好ましい。本発明の目的が達成されるのであれば、これに限定されないが、図２ａに示すように、空間２１７は、入力キー２１２の下に位置することが好ましい。
【００１５】
図２ａに示すように、第２電気コネクタ２２３を第１電気コネクタ２１３に電気的に接続するために、第２モジュール・ユニット２２０と第１モジュール・ユニット２１０とが互いに連結された後、第１電気コネクタ２１３は、空間２１７の特定部分内に配置されることが好ましく、図２ｂに示すように、第２モジュール・ユニット２２０が空間２１７内にはめ込まれたときに、第２電気コネクタ２２３が第１電気コネクタ２１３と電気的に接続される。
【００１６】
第２モジュール・ユニット２２０が第１モジュール・ユニット２１０に連結されると、入力キー２１２により、ユーザの操作に応じてスイッチ・モジュール２２２が作動し、スイッチ・モジュール２２２が信号を送信可能となる。
【００１７】
モジュール化された修理可能なコンピュータ・マウスの過度の使用によりスイッチ・モジュール２２２が故障した場合、ユーザは、マウス全体を交換する代わりに、故障した第２モジュール・ユニット２２０を新たな第２モジュール・ユニットと交換することが必要となるだけである。結果として、コンピュータ・マウスの寿命を延ばすことができ、経費が低減される。
【００１８】
図３ａは、本発明の別の好ましい実施形態を示す。図に示すように、コンピュータ・マウス３０１は、第１モジュール・ユニット（すなわち、スイッチ・モジュール・ユニット）３１０と、第２モジュール・ユニット（すなわち、電子モジュール・ユニット）３２０とを含む。第１モジュール・ユニット３１０は、ハウジング３１１と、少なくとも１つの入力キー３１２と、第１電気コネクタ（すなわち、スイッチ・モジュールの電気コネクタ）３１３と、スイッチ・モジュール３１４とを含む。第１電気コネクタ３１３は、導線３１５を介してスイッチ・モジュール３１４に接続されている。第２モジュール・ユニット３２０は、第２電気コネクタ（すなわち、電子モジュールの電気コネクタ）３２３と、回路基板３２２とを含む。回路基板３２２は、第２電気コネクタ３２３と相互接続されている。
【００１９】
回路基板３２２は、回路基板３２２から送信された電気信号を伝送するための信号伝送用のケーブル３２６を含む。別の実施形態では、信号伝送のために使用されるケーブル３２６を無線送信装置に置き換えて、本発明のモジュール化された修理可能なコンピュータ・マウスとしての無線マウスを提供することができる。
【００２０】
第１モジュール・ユニット３１０は、任意に、１個以上の、好ましくは、２〜４個の入力キー３１２を含む。好ましい入力キーは複合機能を備える入力キーであり、例えば、スクロール・ローラである。しかしながら、入力キー３１２は、同様の機能を有する任意の装置であってもよい。
【００２１】
第２モジュール・ユニット３２０を第１モジュール・ユニット３１０に連結するために、第１モジュール・ユニット３１０の特定部分は、第２モジュール・ユニット３２０を受承するための空間３１７を有する。加えて、第２モジュール・ユニット３２０を第１モジュール・ユニット３１０に、より強固に連結するために、第２モジュール・ユニット３２０が密にはめ込まれるように空間３１７を設けることが好ましい。本発明の目的が達成されるのであれば、これに限定はされないが、図３ａに示すように、空間３１７は、第１モジュール・ユニット３１０の底部中央に位置することが好ましい。
【００２２】
図３ａに示すように、第２電気コネクタ３２３が第１電気コネクタ３１３に電気的に接続されるように、第２モジュール・ユニット３２０と第１モジュール・ユニット３１０とが互いに連結された後、第１電気コネクタ３１３は、空間３１７の特定部分内に配置されることが好ましく、図３ｂに示すように、第２モジュール・ユニット３２０が空間３１７内にはめ込まれたとき、第２電気コネクタ３２３が第１電気コネクタ３１３と電気的に接続される。
【００２３】
第２モジュール・ユニット３２０が第１モジュール・ユニット３１０に連結されると、入力キー３１２により、ユーザの操作に応じてスイッチ・モジュール３１４が作動し、スイッチ・モジュール３１４は信号を送信可能となる。
【００２４】
モジュール化された修理可能なコンピュータ・マウスの過度の使用によりスイッチ・モジュール３１４が故障した場合、ユーザは、マウス全体を交換する代わりに、故障した第１モジュール・ユニット３１０を新たな第１モジュール・ユニット３１０と交換することが必要となるだけである。結果として、コンピュータ・マウスの寿命を延ばすことができ、経費が低減される。
【００２５】
本発明の範囲及び技術思想を、上記した好ましい実施形態を通じて明確に説明した。しかしながら、上記した好ましい実施形態は、本発明の範囲及び技術思想を限定するものではない。逆に、上記説明の変更の均等物は、本発明の範囲にて保護される。従って、添付した特許請求の範囲は、広義の表現にて表され、変形例及び修飾例の全ての実質的均等物に及ぶ。
【図面の簡単な説明】
【００２６】
【図１】従来技術のコンピュータ・マウスを示す図。
【図２ａ】第１モジュール・ユニットに連結されていない本発明のモジュール化された修理可能なコンピュータ・マウスの第２モジュール・ユニットの一実施形態を示す図。
【図２ｂ】空間にて受承された図２ａの第２モジュール・ユニットを示す図。
【図３ａ】第１モジュール・ユニットに連結されていない本発明のモジュール化された修理可能なコンピュータ・マウスの第２モジュール・ユニットの別の実施形態を示す図。
【図３ｂ】空間にて受承された図３ａの第２モジュール・ユニットを示す図。
【図１】
2005050319.tif 000003
【図２ａ】
2005050319.tif 000004
【図２ｂ】
2005050319.tif 000005
【図３ａ】
2005050319.tif 000006
【図３ｂ】
2005050319.tif 000007
【外国語明細書】
2005050319.tif 000008
2005050319.tif 000009
2005050319.tif 000010
2005050319.tif 000011
2005050319.tif 000012
2005050319.tif 000013
2005050319.tif 000014
2005050319.tif 000015
2005050319.tif 000016
2005050319.tif 000017
2005050319.tif 000018
2005050319.tif 000019
2005050319.tif 000020
2005050319.tif 000021
2005050319.tif 000022
2005050319.tif 000023
2005050319.tif 000024
2005050319.tif 000025
2005050319.tif 000026
2005050319.tif 000027